(57)【要約】【課題】詰め替え容器の注出用スパウトと包装容器を構成する注出ユニットとを円滑に連結させることができ、内容物を詰め替え容器から包装容器に移し替えている間に、注出ユニットにはめ込まれた注出用スパウトが注出ユニットから外れてしまうことを抑制する。【解決手段】ノズルを有する注出ユニットを備えた包装容器に補充する内容物が収容された詰め替え容器に用いられ、内容物を通すための流路１０ｂが内側に形成された筒状注出部１１と、筒状注出部１１が延びる方向の一端Ａ側が容器に取り付けられる被取り付け部１５と、を備えた注出用スパウト１０であって、筒状注出部１１には、流路１０ｂの内壁から中心側に向けて突出するガイド５０が筒状注出部１１の延びる方向に一致して延び、ガイド５０は、ノズルが延びる方向に筒状注出部１１を案内する注出用スパウトにより課題を解決する。【選択図】図２
2018095259.tif 000002
【特許請求の範囲】
【請求項１】
ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部と、を備えた注出用スパウトであって、
前記筒状注出部には、前記流路の内壁から中心側に向けて突出するガイドが当該筒状注出部の延びる方向に一致して延び、
前記ガイドは、前記ノズルが延びる方向に前記筒状注出部を案内することを特徴とする注出用スパウト。
【請求項２】
前記ガイドの幅は、前記ノズルに形成されたスリットの幅に対応する寸法に形成されている、請求項１に記載の注出用スパウト。
【請求項３】
当該注出用スパウトは、前記流路を前記一端側で閉じるための閉鎖部材が設けられ、該閉鎖部材は、当該注出用スパウトのスパウト本体とは別体として構成され、
前記閉鎖部材は、前記筒状注出部が延びる方向の前記一端側とは逆側の他端側から加えられる外力によって該筒状注出部の内周面から取り外される形態で該筒注出部の前記一端側の内周面にはめ込まれていることを特徴とする容器の注出用スパウト。
【請求項４】
前記閉鎖部材は、前記スパウト本体に連結部材によってつながれている、請求項１に記載の容器の注出用スパウト。
【請求項５】
包装容器から内容物を注出するためのノズルと、該ノズルの外周を囲む周壁面とを有し、前記ノズルと前記周壁面とが前記ノズルの根元で接続された注出ユニットと、
前記包装容器に補充する内容物が収容された詰め替え容器に用いられ、前記内容物を通すための流路が内側に形成された筒状注出部と、該筒状注出部が延びる方向の一端側が容器に取り付けられる被取り付け部と、を備えた注出用スパウトと、の連結構造であって、
前記注出ユニットには、前記ノズルを構成する周壁の周方向の一部が欠損されてなり、当該ノズルが延びる方向に形成された第１スリットが形成され、
前記筒状注出部には、前記流路の内壁から中心側に向けて突出するガイドが当該筒状注出部の延びる方向に一致して延び、
前記ノズルの前記第１スリットの内側に前記ガイドをはめ込ませて、前記ノズルが延びる方向に前記筒状注出部を案内することを特徴とする注出ユニットと注出用スパウトとの連結構造。
【請求項６】
前記注出ユニットには、前記ノズルの根元で、当該ノズルから径方向の外側に延びる第２スリットが形成され、
前記ノズルの前記第１スリットの内側に前記ガイドをはめ込ませて、連結された前記注出ユニットと前記注出用スパウトについて、前記第２スリットがエア抜き穴として機能する、請求項５に記載の注出ユニットと注出用スパウトとの連結構造。
【発明の詳細な説明】
【技術分野】
【０００１】
本発明は、詰め替え容器の注出用スパウト及び包装容器の注出ユニットとの連結構造に関し、さらに詳しくは、包装容器に補充するための内容物が収容された詰め替え容器の注出用スパウト及び包装容器の注出ユニットとの連結構造に関する。
【背景技術】
【０００２】
醤油等の液体調味料や液体洗剤等のトイレタリー商品は、例えば、樹脂製の包装容器に収容して消費し、内容物の残量が少なくなったり無くなったりした時点で、包装容器に内容物を補充して用いることが行われている。このような商品では、補充用の内容物が収容された詰め替え容器が包装容器とは別に用意されている。詰め替え容器に用いられる注出用スパウト及び内容物が補充される包装容器の注出ユニットは、これまでに様々なタイプのものが提案されている。
【０００３】
例えば、特許文献１で提案されている詰め替え容器は、スパウトの部分で内容物が外気に触れることを防止するための工夫がなされている。同文献に記載された詰め替え用の容器は、内容物を包装容器に補充することにより、包装容器を繰り返し使用することができるようにしている。繰り返し使用する包装容器は、内容物を注出するための注出ユニットを備えている。注出ユニットは、注出ノズルと、この注出ノズルの周囲に設けられた周壁とを備えることにより構成されている。詰め替え容器は、こうした構成の包装容器の注出ユニットに注出用のスパウトを連結することにより、内容物を包装容器に補充するように構成されている。
【０００４】
詰め替え容器から包装容器に内容物を補充するために注出ユニットと注出用スパウトとを連結する場合、両者の連結は、注出ユニットの周壁の内側に、詰め替え容器の注出用スパウトの筒状をなすスパウトをはめ込むことにより行われている。
【０００５】
また、同文献に記載された詰め替え容器は、封止板を備えている。この封止板は、詰め替え容器のスパウトの注出口の位置を閉じることにより、内容物が外気に触れることを防止している。この封止板は、包装容器の注出ノズルの外周とほぼ同じ形状をなしており、封止板の内側に位置する開口予定部を封止板から分離させるための脆弱線を形成することにより構成されている。この詰め替え容器では、包装容器の注出ユニットを構成している注出ノズルが、詰め替え容器の注出用のスパウトの内部に挿入されると、注出ノズルが上記の脆弱線の位置で封止板を破断して内側の領域である開口予定部を封止板から分離する。詰め替え容器は、封止板が分離されることにより、この詰め替え容器の内部に充填されていた内容物を包装容器に移し替えて内容物を包装容器に補充することができるように構成されている。
【先行技術文献】
【特許文献】
【０００６】
【特許文献１】特開２０１３−２０３４６４号公報
【発明の概要】
【発明が解決しようとする課題】
【０００７】
特許文献１に記載された詰め替え容器の注出用スパウトと包装容器を構成する注出ユニットとを連結する場合、上記のように、両者の連結は、注出ユニットの周壁の内側に、詰め替え容器の注出用スパウトの筒状をなすスパウトをはめ込むことにより行われている。注出用スパウトの外周面にはねじ部が形成されているので、注出用スパウトの筒状のスパウトが、包装容器を構成する注出ユニットに円滑にはめ込まれないおそれがある。
【０００８】
本発明は、上記課題を解決するためになされたものであって、その目的は、第１に、詰め替え容器の注出用スパウトと包装容器を構成する注出ユニットとを円滑に連結させることができ、第２に、内容物を詰め替え容器から包装容器に移し替えている間に、注出ユニットにはめ込まれた注出用スパウトが注出ユニットから外れてしまうことを抑制することができる詰め替え容器の注出用スパウト及び包装容器の注出ユニットとの連結構造を提供することにある。
【課題を解決するための手段】
【０００９】
（１）上記課題を解決するための本発明に係る容器の注出用スパウトは、ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部と、を備えた注出用スパウトであって、前記筒状注出部には、前記流路の内壁から中心側に向けて突出するガイドが当該筒状注出部の延びる方向に一致して延び、前記ガイドは、前記ノズルが延びる方向に前記筒状注出部を案内することを特徴とする。
【００１０】
この発明によれば、筒状注出部に、流路の内壁から中心側に向けて突出するガイドが筒状注出部の延びる方向に一致して延び、ガイドは、ノズルが延びる方向に筒状注出部を案内するので、詰め替え容器から包装容器に内容物を補充する際に、詰め替え容器の注出用スパウトを包装容器の注出ユニットに対して円滑に連結させることができる。
【００１１】
本発明に係る容器の注出用スパウトにおいて、前記ガイドの幅は、前記ノズルに形成されたスリットの幅に対応する。
【００１２】
この発明によれば、ガイドの幅が、ノズルに形成されたスリットの幅に対応するので、内容物を詰め替え容器から包装容器に補充する際に、包装容器の注出ユニットに連結された詰め替え容器の注出用スパウトが注出ユニットから外れてしまうことを抑制することができる。
【００１３】
本発明に係る容器の注出用スパウトにおいて、当該注出用スパウトは、前記流路を前記一端側で閉じるための閉鎖部材が設けられ、該閉鎖部材は、当該注出用スパウトのスパウト本体とは別体として構成され、前記閉鎖部材は、前記筒状注出部が延びる方向の前記一端側とは逆側の他端側から加えられる外力によって該筒状注出部の内周面から取り外される形態で該筒注出部の前記一端側の内周面にはめ込まれている。
【００１４】
この発明によれば、筒状注出部の一端側を閉じる閉鎖部材がスパウト本体とは別体であり、上記のように外力によって筒状注出部の内周面から取り外される形態で筒注出部の内周面にはめ込まれているので、内容物が補充される包装容器の注出ユニットを構成するノズルで閉鎖部材を押し上げたときに、閉鎖部材自体が破損することなく取り外される。そのため、閉鎖部材が筒状注出部の内側から取り外されるときに、破片が発生することがない。その結果、容器から包装容器に内容物を移し替える際に、内容物だけを包装容器に補充することができる。また、破片が発生しないので、包装容器の注出ユニットを破片が塞いでしまうという自体も発生しない。
【００１５】
本発明に係る容器の注出用スパウトにおいて、前記閉鎖部材は、前記スパウト本体に連結部材によってつながれている、請求項１に記載の容器の注出用スパウト。
【００１６】
この発明によれば、閉鎖部材がスパウト本体に連結部材によってつながれているので、閉鎖部材が筒状注出部の内側から取り外されたときに、閉鎖部材がスパウト本体から分離せずに連結した状態を維持させることができる。そのため、容器から包装容器に内容物を移し替える際に、閉鎖部材が包装容器に移されてしまうことがない。
【００１７】
（２）上記課題を解決するための本発明に係る注出ユニットと注出用スパウトとの連結構造は、包装容器から内容物を注出するためのノズルと、該ノズルの外周を囲む周壁面とを有し、前記ノズルと前記周壁面とが前記ノズルの根元で接続された注出ユニットと、前記包装容器に補充する内容物が収容された詰め替え容器に用いられ、前記内容物を通すための流路が内側に形成された筒状注出部と、該筒状注出部が延びる方向の一端側が容器に取り付けられる被取り付け部と、を備えた注出用スパウトと、の連結構造であって、前記注出ユニットには、前記ノズルを構成する周壁の周方向の一部が欠損されてなり、当該ノズルが延びる方向に形成された第１スリットが形成され、前記筒状注出部には、前記流路の内壁から中心側に向けて突出するガイドが当該筒状注出部の延びる方向に一致して延び、前記ノズルの前記第１スリットの内側に前記ガイドをはめ込ませて、前記ノズルを前記筒状注出部が延びる方向に案内する、ことを特徴とする。
【００１８】
この発明によれば、筒状注出部に、流路の内壁から中心側に向けて突出するガイドが筒状注出部の延びる方向に一致して延び、ガイドはノズルが延びる方向に筒状注出部を案内するので、詰め替え容器から包装容器に内容物を補充する際に、詰め替え容器の注出用スパウトを包装容器の注出ユニットに対して円滑に連結させることができる。
【００１９】
本発明に係る注出ユニットと注出用スパウトとの連結構造において、前記注出ユニットには、前記ノズルの根元で、当該ノズルから径方向の外側に延びる第２スリットが形成され、前記ノズルの前記第１スリットの内側に前記ガイドをはめ込ませて、連結された前記注出ユニットと前記注出用スパウトについて、前記第２スリットがエア抜き穴として機能する。
【００２０】
この発明によれば、第２スリットがエア抜き穴として機能するので、詰め替え容器から内容物を包装容器に補充する際に、内容物を円滑に詰め替え容器から包装容器に移し替えることができる。
【発明の効果】
【００２１】
本発明によれば、詰め替え容器の注出用スパウトと包装容器を構成する注出ユニットとを円滑に連結させることができ、しかも、内容物を詰め替え容器から包装容器に移し替えている間に、注出ユニットにはめ込まれた注出用スパウトが注出ユニットから外れてしまうことを抑制することができる。
【図面の簡単な説明】
【００２２】
【図１】本発明に係る注出用スパウトが用いられている詰め替え容器としてのスタンディングパウチの平面図である。
【図２】（Ａ）は、本発明に係る一実施形態の注出用スパウトの断面図であり、（Ｂ）は、注出用スパウトの正面図である。
【図３】（Ａ）は、本発明に係る一実施形態の注出用スパウトを筒状注出部の先端側から見た平面図であり、（Ｂ）は、被取り付け部側からみた底面図である。
【図４】詰め替え容器としてのスタンディングパウチから内容物が補充される包装容器の平面図である。
【図５】（Ａ）は、図４に示した包装容器を構成する注出ユニットの本体部の斜視図であり、（Ｂ）は、ノズルの先端側から注出ユニットの本体部を見た平面図である。
【図６】本発明に係る注出用スパウトの作用を説明するための説明図である。
【発明を実施するための形態】
【００２３】
以下、本発明の実施形態について、図面を参照しながら説明する。なお、本発明は、以下に説明する実施形態及び図面に記載した形態と同じ技術的思想の発明を含むものであり、本発明の技術的範囲は実施形態の記載や図面の記載のみに限定されるものでない。
【００２４】
［基本構成］
本発明に係る容器の注出用スパウト１０は、ノズル４３を有する注出ユニット４０を備えた包装容器３０に補充する内容物が収容された詰め替え容器１に用いられる。注出用スパウト１０は、内容物を通すための流路１０ｂが内側に形成された筒状注出部１１と、筒状注出部１１が延びる方向Ｌの一端Ａ側が容器に取り付けられる被取り付け部１５とを備えている。筒状注出部１１には、流路１０ｂの内壁から中心側に向けて突出するガイドが筒状注出部１１の延びる方向Ｌに一致して延び、ガイドがノズル４３を筒状注出部１１が延びる方向Ｌに案内する。
【００２５】
本発明に係る注出用スパウトによれば、詰め替え容器１の注出用スパウト１０と包装容器３０を構成する注出ユニット４０とを円滑に連結させることができ、しかも、内容物を詰め替え容器１から包装容器３０に移し替えている間に、注出ユニット４０にはめ込まれた注出用スパウト１０が注出ユニット４０から外れてしまうことを抑制することができるという特有の効果を奏する。
【００２６】
以下、注出用スパウト１０が用いられる詰め替え容器の概要、注出用スパウト１０の具体的な構成、内容物が補充されて用いられる包装容器３０の概要、及び注出用スパウト１０の作用について説明する。
【００２７】
［詰め替え容器］
本発明に係る注出用スパウト１０が用いられる詰め替え容器１は、詰め替え容器１とは別に使用される包装容器３０に内容物を補充するために用いられる。詰め替え容器１の形態や種類は特に限定されない。図１には、詰め替え容器の一例としてのスタンディングパウチを示している。この詰め替え容器１は、対向する一対の平面部２と、詰め替え容器１の底部を閉じている底面部３と、本発明に係る注出用スパウト１０と、を有している。
【００２８】
平面部２は、上端縁同士がシールされると共に、両側端縁同士がシールされている。一対の平面部２の下端縁は、底面部３における各平面部２の下端縁に対向する端縁部にそれぞれシールされている。底面部３は、中心の折目４で二つ折りされており、折目４が詰め替え容器１の上側に向けて折り込まれている。底面部３は、折り込まれた形態から詰め替え容器１の平面部２が配置されている方向に広げられることによって、詰め替え容器１の底部を広げることができるように構成されている。
【００２９】
本発明に係る注出用スパウト１０は、詰め替え容器１の上端縁に取り付けられている。なお、本実施形態では、注出用スパウト１０が詰め替え容器１の上部中央に取り付けられた場合を一例として取り上げている。ただし、特に図面には示していないが、注出用スパウト１０が詰め替え容器１の上部において、幅方向の側部にずれた位置に設けても良い。また、詰め替え容器１に上端縁と側端縁とが斜めに傾斜する傾斜部により連絡された部位を設け、傾斜部に注出用スパウト１０を取り付けてもよい。
【００３０】
詰め替え容器１は、この詰め替え容器１とは別に用意された包装容器３０（図４を参照。）に内容物を移し替えるための詰め替え容器として用いられる。内容物を包装容器３０に移し替える場合には、注出用スパウト１０を閉じているキャップ１９を取り外し、詰め替え容器１の上下を逆さまにする。そして、注出用スパウト１０を包装容器３０の注出ユニットに４０突き刺して、詰め替え容器１から直に内容物を包装容器３０に移し替える。なお、この作用は、後ほど詳細に説明する。
【００３１】
［注出用スパウト］
注出用スパウト１０は、図２及び図３に示すように、筒状注出部１１と被取り付け部１５とを備えている。筒状注出部１１は円筒をなしている。被取り付け部１５は、この注出用スパウト１０が用いられる容器である詰め替え容器１に取り付けられる部位であって、筒状注出部１１が延びる方向Ｌの一端Ａ側に設けられている。筒状注出部１１は、注出用スパウト１０が用いられる詰め替え容器１の内容物を詰め替え容器１から注出するときに使用される部位である。筒状注出部１１は、内部が空洞になっており、筒状注出部１１の延びる方向Ｌの両端が円形に開かれている。すなわち、筒状注出部１１の内部は、流路１０ｂが形成されている。そのため、筒状注出部１１は、詰め替え容器１の内側と外側とを連通させることができるように構成されている。
【００３２】
［ガイド］
筒状注出部１１の内側に形成された流路１０ｂの内壁には、ガイド５０が形成されている。ガイド５０は、包装容器３０の注出ユニット４０を構成するノズル４３を筒状注出部１１の先端から奥に向けて案内する。ガイド５０は、流路１０ｂの内壁から中心に向けて突出しており、筒状注出部１１が延びる方向Ｌと同一の方向に延びるようにして形成されている。ガイド５０の断面の形状は、ノズル４３を案内することができる形状であれば特に限定されない。図２（Ａ）及び図３（Ａ）に示した例では、流路１０ｂの内壁から中心側に直線状に延びる側面部と、流路１０ｂの径方向の中心側に位置し、円弧状をなす先端部とにより構成されている。
【００３３】
なお、図２（Ａ）及び図３（Ａ）に示した例では、ガイド５０の内部が空洞をなしている。ガイド５０の内部を空洞にすることにより、注出用スパウト１０のスパウト本体１０Ａの軽量化を図ることができる。また、ガイド５０の内部を空洞にすることにより、注出用スパウト１０のスパウト本体１０Ａを成形するために必要な樹脂の量を、空洞を設けない形態よりも少なくすることができる。ただし、ガイド５０の内部に空洞を設けることは必須ではなく、ガイド５０の内部に樹脂が詰まった形態として構成することもできる。
【００３４】
筒状注出部１１の外周面には、図２（Ｂ）に示すように、ねじ部１２が形成されている。ねじ部１２は、周方向に延びると共に、筒状注出部１１が延びる方向Ｌに位置がずれており、螺旋状をなしている。このねじ部１２は、キャップ１９の内面に形成された、図示しないねじ部が係り合わされる部位である。筒状注出部１１は、このねじ部１２にキャップ１９のねじ部が係り合わされることにより、筒状注出部１１の他端Ｂ側を閉じたり開いたりされるように構成されている。
【００３５】
被取り付け部１５は、図３（Ｂ）に示すように、いわゆる舟形形状をなしている。舟形形状とは、被取り付け部１５の横方向（図３の符号Ｙで示した方向）の両側の側面部１６が外側に向かって張り出し、縦方向（図３の符号Ｘで示した方向）の両側において、側面部１６同士が鋭角を形成して尖った形状を意味する。側面部１６の高さは、一定に形成されている。
【００３６】
各側面部１６は、Ｘ方向の両端から中央に向かうに従って、Ｙ方向の中心から外側に向かって傾斜する傾斜面部１６ａと、Ｘ方向の中心部分にてＹ方向の外側に向かって突出する湾曲部１６ｂとから構成されている。湾曲部１６ｂは、図３に示すように、注出用スパウト１０を一端Ａ側から見たときの形状が、円弧状をなしている。また、各側面部１６には、図２に示すように、縦方向に延びる複数の突起部１７がそれぞれ形成されている。被取り付け部１５の中心には、この側面部１６の高さ方向を貫通する穴１０ｃが形成されている。この穴１０ｃは、筒状注出部１１の内部に形成された流路１０ｂの一部を構成している。
【００３７】
この注出用スパウト１０は、図３（Ａ）及び図３（Ｂ）に示すように、筒状注出部１１と被取り付け部１５との境界部分に半径方向外側に向かって張り出すフランジ１８が形成されている。このフランジ１８は、注出用スパウト１０が詰め替え容器１の上端に取り付けられたときに、詰め替え容器１の上端縁に沿わされる部位である。
【００３８】
［閉鎖部材］
閉鎖部材２０は、注出用スパウト１０の流路１０ｂを閉鎖するための構成要素であり、スパウト本体１０Ａとは別体として構成されている。この閉鎖部材２０は、円盤状をなしている。閉鎖部材２０は、筒状注出部１１が延びる方向Ｌの一端Ａ側、すなわち、被取り付け部１５側で注出用スパウト１０の流路１０ｂの内側にはめ込まれることにより、注出用スパウト１０の流路１０ｂを閉鎖する。一方、注出用スパウト１０の流路１０ｂを閉鎖している閉鎖部材２０は、筒状注出部１１が延びる方向Ｌの一端Ａ側とは逆側の他端Ｂ側から加えられる外力によって筒状注出部１１の内周面から取り外されるように構成されている。そのため、閉鎖部材２０の直径は、注出用スパウト１０の流路１０ｂの内径と同じか又は若干小さく形成されている。
【００３９】
なお、本実施形態の注出用スパウト１０の流路１０ｂは断面形状が円形をなしているので、流路１０ｂにはめ込まれる閉鎖部材２０の外形も円形に形成されている。ただし、閉鎖部材２０の外形は、注出用スパウト１０の流路１０ｂは断面形状に応じた形状に形成される。例えば、注出用スパウト１０の流路１０ｂは断面形状が楕円状をなしている場合には、閉鎖部材２０の外形は、注出用スパウト１０の流路１０ｂは断面形状に応じて楕円状に形成される。閉鎖部材２０の外形が注出用スパウト１０の流路１０ｂは断面形状に応じた形状に形成されることにより、閉鎖部材２０を注出用スパウト１０の流路１０ｂの内側にはめ込んだときに、閉鎖部材２０と注出用スパウト１０の流路１０ｂの内周面との間に隙間を形成させることなく、閉鎖部材２０が流路１０ｂを閉鎖する。
【００４０】
閉鎖部材２０は、連結部材２１によってスパウト本体１０Ａにつながれている。図２及び図３に示した例の連結部材２１は、樹脂で構成されており、細長い紐状をなしている。この連結部材２１は、例えば帯状に形成することもできる。連結部材２１の長手方向の一端は、スパウト本体１０Ａの一端Ａ側の端面に連結されている。具体的に、連結部材２１の長手方向の一端は、被取り付け部１５の下端面に連結されている。この一端は、流路１０ｂの周辺部よりも径方向の外側に若干ずれた位置で被取り付け部１５の下端面に連結されている。これに対し、連結部材２１の長手方向の他端は、閉鎖部材２０の下面２０ｂに連結されている。
【００４１】
なお、閉鎖部材２０の上面２０ａとは、閉鎖部材２０が注出用スパウト１０の流路１０ｂにはめ込まれた形態において、上側を向く面である。すなわち、閉鎖部材２０の上面２０ａは、閉鎖部材２０が注出用スパウト１０の流路１０ｂにはめ込まれた形態において、筒状注出部１１が延びる方向Ｌの他端Ｂ側を向く面である。これに対し、閉鎖部材２０の下面２０ｂとは、閉鎖部材２０が注出用スパウト１０の流路１０ｂにはめ込まれた形態において、下側を向く面である。すなわち、閉鎖部材２０の下面は、閉鎖部材２０が注出用スパウト１０の流路１０ｂにはめ込まれた形態において、この注出用スパウト１０が取り付けられている容器（詰め替え容器１）の内部を向く面である。この連結部材２１は、閉鎖部材２０が注出用スパウト１０の流路１０ｂから離れる方向に力が加わる形態で閉鎖部材２０とスパウト本体１０Ａとを連結している。
【００４２】
連結部材２１の両端が上記のようにスパウト本体１０Ａと閉鎖部材２０とを連結しているので、連結部材２１が閉鎖部材２０と流路１０ｂとの間に挟み込まれることなく、閉鎖部材２０は流路１０ｂの内側にはめ込まれる。また、閉鎖部材２０が流路１０ｂの内側から取り外されたときに、閉鎖部材２０は、スパウト本体１０Ａから分離されてしまうことがなく、注出用スパウト１０につながれた状態が維持される。この連結部材２１は、閉鎖部材２０が注出用スパウト１０の流路１０ｂから離れる方向に力が加わる形態で閉鎖部材２０とスパウト本体１０Ａとを連結しているので、流路１０ｂから取り外された閉鎖部材２０が、再び流路１０ｂを塞いでしまうことが抑制される。その結果、詰め替え容器１から包装容器３０に内容物を円滑に移し替えることができる。
【００４３】
以上に説明した注出用スパウト１０は、ポリエチレン、ポリプロピレン、ポリエステル、エチレンビニル共重合体、ポリ塩化ビニル等の樹脂により成形される。ただし、成形加工可能なものであれば制限はなく、またそれらの樹脂の原料としては石油由来、植物由来、それらの共重合、ブレンドなどが使用できる。
【００４４】
［注出用スパウトの製造方法］
注出用スパウト１０は、種々の製造方法によって製造することができる。ただし、製造効率、製造コスト、品質を考慮した場合、樹脂を射出成形することによって、スパウト本体１０Ａ、閉鎖部材２０及び連結部材２１を一体に成型することが望ましい。樹脂を射出成形する製造方法は、スパウト本体１０Ａ、閉鎖部材２０及び連結部材２１を同一の材料で一体に成型することができるため、製造効率を高くすることができると共に、製造コストを低廉に抑えることができる。また、金型を一旦製造することにより、同一品質の製品を繰り返し製造することができる。
【００４５】
［包装容器］
包装容器３０は、詰め替え容器１に収容された内容物が補充されて使用される容器である。包装容器３０は、例えば樹脂等で構成される。図４は、包装容器３０の一例を示している。図４に示した包装容器３０は、取っ手３２が設けられた容器本体３１と、容器本体３１に収容された内容物を注出するための注出ユニット４０とにより構成されている。この包装容器３０は、詰め替え容器１から移された内容物を必要なときに必要な量だけ包装容器３０から取り出して用いられる。
【００４６】
［注出ユニット］
包装容器３０の注出ユニット４０は、本体部４１と本体部４１を開閉するためのキャップ４９とにより構成されている。本体部４１は、図５に示すように、包装容器から内容物を注出するためのノズル４３と、ノズル４３の外周を囲む周壁面４２とを有している。ノズル４３と周壁面４２とは、ノズル４３の根元で接続されている。周壁面４２は、筒状をなしている。周壁面４２の内側は空洞になっている。
【００４７】
ノズル４３は、本体部４１の上側に向かって突出し、その先端が、周壁面４２の上端よりも上側に位置するように構成されている。図５は、ノズル４３の形状の１つの例を示している。ただし、ノズル４３の形状は特に限定されない。ノズル４３には、その周壁の周方向の一部が欠損してなる第１スリット６１が形成されている。第１スリット６１は、ノズルの根元からノズルの上端までの領域に、ノズルが延びる方向に直線状に形成されている。第１スリット６１の幅は、筒状注出部１１の流路１０ｂに形成されたガイド５０の幅と同じか、やや大きく形成されている。このスリットは、詰め替え容器の注出用スパウトを包装容器の注出ユニットに連結させる際に、ガイドをスリットの内側にはめ込ませ、注出用スパウトをノズルの上端側から根元側に案内している。
【００４８】
この注出ユニット４０において、ノズル４３の根元と、周壁面４２とをつないでいる部分６０には、ノズル４３から径方向の外側に延びる第２スリット６２が形成されている。第２スリット６２は、ノズル４３の根元の位置で第１スリット６１とつながれており、第１スリット６１と第２スリットとは、一体に形成されている。このような構造の第２スリットは、注出用スパウト１０が注出ユニット４０に連結されて、内容物が詰め替えよう容器１から包装容器に移し替えられるときに、エア抜き穴として機能する。
【００４９】
［注出ユニットと注出用スパウトとの連結構造］
以上に説明した包装容器３０の注出ユニット４０と、詰め替え容器１の注出用スパウト１０とは、次のように連結される。すなわち、注出用スパウト１０の筒状注出部１１に形成されたガイド５０が注出ユニット４０のノズル４３に形成された第１スリット６１の間にはめ込まれて連結される。そして、筒状注出部１１がノズル４３の延びる方向に案内される。この連結構造の詳細については、以下において詳細に説明する。
【００５０】
［注出ユニット及び注出用スパウトの作用］
図６を参照し、詰め替え容器１に収容されている内容物を包装容器３０に補充する手順と、本実施形態の注出用ユニット４０及び注出用スパウト１０の作用について説明する。なお、図６は、注出用スパウト１０の作用をわかりやすくするために、詰め替え容器１及び包装容器３０の容器本体３１については、図示していない。ただし、注出用スパウト１０は、図１に示した、詰め替え容器である詰め替え容器１に取り付けられ、注出ユニット４０は、図４に示した包装容器３０に設けられている。
【００５１】
まず、注出用スパウト１０からキャップ１９を取り外し、詰め替え容器１の上下を逆にして、詰め替え容器１の下側に注出用スパウト１０を位置させる。注出用スパウト１０の流路１０ｂは、閉鎖部材２０により閉じられているので、詰め替え容器１に収容されている内容物がこぼれ出すことはない。また、包装容器３０の注出ユニット４０において、本体部４１からキャップ４９があらかじめ取り外される。
【００５２】
次に、図６（Ａ）に示すように、注出用スパウト１０を、キャップ１９が取り外された包装容器３０の注出ユニット４０の位置に一致させ、注出ユニット４０のノズル４３を注出用スパウト１０の流路１０ｂに挿入させる。その際、筒状注出部１１の流路１０ｂに形成されたガイド５０がノズル４３に形成された第１スリット６１にはめ込まれる。詰め替え容器１は、ガイドを第１スリットにはめ込ませた状態で、包装容器３０が押し下げられる。その際、詰め替え容器１の注出用スパウト１０を構成する筒状注出部１１は、ノズル４３の延びる方向に案内されながら、ノズル４３の先端側から根元側に移動する。
【００５３】
注出用スパウト１０を押し下げると、ノズル４３の先端が閉鎖部材２０を押し上げる。そのため、図６（Ｂ）に示すように、閉鎖部材２０が筒状注出部１１の内側を構成している流路１０ｂから取り外される。すなわち、閉鎖部材２０は、筒状注出部が延びる方向Ｌにおける一端Ａ側（被取り付け部１５が設けられた端部側）とは逆側の他端Ｂ側（円筒注出部の先端側）から加えられる外力によって筒状注出部１１の内周面から取り外される。この際、閉鎖部材２０は、スパウト本体１０Ａとは別体として構成されており、且つ、筒状注出部１１を構成する流路１０ｂにはめ込まれることにより流路１０ｂを閉じているだけであるので、ノズル４３が閉鎖部材２０それ自体を破壊してしまうことがなく、円滑に流路１０ｂから取り外される。その結果、破片が発生せず、包装容器３０に内容物だけが移される。
【００５４】
内容物が詰め替え容器１から包装容器３０に補充されている間、筒状注出部１１に形成されたガイド５０が、ノズル４３に形成された第１スリットにはめ込まれているため、詰め替え容器１の注出用スパウト１０が、包装容器３０の注出ユニット４０の本体部４１から外れてしまうことが防止される。また、第２スリット６２がエア抜き穴として機能するため、内容物が詰め替え容器１から包装容器３０に補充されている間、詰め替え容器１に収容されている内容部は、円滑に包装容器に移し替えられる。
【００５５】
また、図６（Ｂ）に示すように、ノズル４３が筒状注出部１１の内部に挿入され、閉鎖部材２０がスパウト本体１０Ａか外されたとき、筒状注出体１１の先端部１１ａがノズルの外周面に接触する。そのため、スタンディングパウチ１から注出された内容物は、ノズル４３の外側に漏れ出さないで、ノズル４３を通して包装容器３０に移される。
【符号の説明】
【００５６】
１  スタンディングパウチ（詰め替え容器）
２  平面部
３  底面部
４  折目
１０  注出用スパウト
１０Ａ  スパウト本体
１０ｂ  流路
１１  筒状注出部
１２  ねじ部
１５  被取り付け部
１６  側面部
１６ａ  傾斜面部
１６ｂ  湾曲部
１７  突起部
１８  フランジ
２０  閉鎖部材
２０ａ  上面
２０ｂ  下面
２１  連結部材
３０  包装容器
３１  容器本体
３２  取っ手
４０  注出ユニット
４１  本体部
４２  周壁面
４３  ノズル
４９  キャップ
５０  ガイド
６０  つないでいる部分
６１  第１スリット
６２  第２スリット
Ａ  筒状注出部が延びる方向の一端
Ｂ  筒状注出部が延びる方向の他端
【図１】
2018095259.tif 000003
【図２】
2018095259.tif 000004
【図３】
2018095259.tif 000005
【図４】
2018095259.tif 000006
【図５】
2018095259.tif 000007
【図６】
2018095259.tif 000008
【手続補正書】
【提出日】平成29年6月22日(2017.6.22)
【手続補正１】
【補正対象書類名】特許請求の範囲
【補正対象項目名】全文
【補正方法】変更
【補正の内容】
【特許請求の範囲】
【請求項１】
ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトであって、
前記流路を前記一端側で閉じるための閉鎖部材を備え、該閉鎖部材は、前記スパウト本体とは別体として構成され、
前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、
前記筒状注出部には、前記流路の内壁から中心側に向けて突出するガイドが、当該筒状注出部の先端の位置から奥側に向かって当該筒状注出部の延びる方向に一致して延び、
前記ガイドの幅は、前記ノズルに形成されたスリットの幅に対応する寸法に形成され、
前記ガイドは、前記ノズルが延びる方向に前記筒状注出部を案内することを特徴とする注出用スパウト。
【請求項２】
前記閉鎖部材は、前記スパウト本体に連結部材によってつながれている、請求項１に記載の容器の注出用スパウト。
【請求項３】
包装容器から内容物を注出するためのノズルと、該ノズルの外周を囲む周壁面とを有し、前記ノズルと前記周壁面とが前記ノズルの根元で接続された注出ユニットと、
前記包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトと、の連結構造であって、
前記注出ユニットには、前記ノズルを構成する周壁の周方向の一部が欠損されてなり、当該ノズルが延びる方向に形成された第１スリットが形成され、
前記流路を前記一端側で閉じるための閉鎖部材を備え、該閉鎖部材は、前記スパウト本体とは別体として構成され、
前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、
前記筒状注出部には、前記流路の内壁から中心側に向けて突出するガイドが、当該筒状注出部の先端の位置から奥側に向かって当該筒状注出部の延びる方向に一致して延び、
前記ガイドの幅は、前記第１スリットの幅に対応する寸法に形成され、
前記第１スリットの内側に前記ガイドをはめ込ませて、前記ノズルが延びる方向に前記筒状注出部を案内することを特徴とする注出ユニットと注出用スパウトとの連結構造。
【請求項４】
前記注出ユニットには、前記ノズルの根元で、当該ノズルから径方向の外側に延びる第２スリットが形成され、
前記ノズルの前記第１スリットの内側に前記ガイドをはめ込ませて、連結された前記注出ユニットと前記注出用スパウトについて、前記第２スリットがエア抜き穴として機能する、請求項３に記載の注出ユニットと注出用スパウトとの連結構造。
【手続補正２】
【補正対象書類名】明細書
【補正対象項目名】０００９
【補正方法】変更
【補正の内容】
【０００９】
（１）上記課題を解決するための本発明に係る容器の注出用スパウトは、ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトであって、前記流路を前記一端側で閉じるための閉鎖部材を備え、該閉鎖部材は、前記スパウト本体とは別体として構成され、前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、前記筒状注出部には、前記流路の内壁から中心側に向けて突出するガイドが、当該筒状注出部の先端の位置から奥側に向かって当該筒状注出部の延びる方向に一致して延び、前記ガイドの幅は、前記ノズルに形成されたスリットの幅に対応する寸法に形成され、前記ガイドは、前記ノズルが延びる方向に前記筒状注出部を案内することを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１７
【補正方法】変更
【補正の内容】
【００１７】
（２）上記課題を解決するための本発明に係る注出ユニットと注出用スパウトとの連結構造は、包装容器から内容物を注出するためのノズルと、該ノズルの外周を囲む周壁面とを有し、前記ノズルと前記周壁面とが前記ノズルの根元で接続された注出ユニットと、前記包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトと、の連結構造であって、前記注出ユニットには、前記ノズルを構成する周壁の周方向の一部が欠損されてなり、当該ノズルが延びる方向に形成された第１スリットが形成され、前記流路を前記一端側で閉じるための閉鎖部材を備え、該閉鎖部材は、前記スパウト本体とは別体として構成され、前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、前記筒状注出部には、前記流路の内壁から中心側に向けて突出するガイドが、当該筒状注出部の先端の位置から奥側に向かって当該筒状注出部の延びる方向に一致して延び、前記ガイドの幅は、前記第１スリットの幅に対応する寸法に形成され、前記第１スリットの内側に前記ガイドをはめ込ませて、前記ノズルが延びる方向に前記筒状注出部を案内することを特徴とする。
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトであって、
前記流路を前記一端側で閉じるための閉鎖部材を備え、該閉鎖部材は、前記スパウト本体とは別体として構成され、
前記閉鎖部材は、前記スパウト本体に紐状又は帯状の連結部材によってつながれ、
前記連結部材は、前記流路にはめ込まれた形態で下側を向く面である前記閉鎖部材の下面と前記被取り付け部とを連結し、
前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、
前記筒状注出部には、前記流路の内壁から中心側に向けて突出するガイドが、当該筒状注出部の先端の位置から奥側に向かって当該筒状注出部の延びる方向に一致して延び、
前記ガイドの幅は、前記ノズルに形成されたスリットの幅に対応する寸法に形成され、
前記ガイドは、前記ノズルが延びる方向に前記筒状注出部を案内する、ことを特徴とする注出用スパウト。
【請求項２】
包装容器から内容物を注出するためのノズルと、該ノズルの外周を囲む周壁面とを有し、前記ノズルと前記周壁面とが前記ノズルの根元で接続された注出ユニットと、
前記包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトと、の連結構造であって、
前記注出ユニットには、前記ノズルを構成する周壁の周方向の一部が欠損されてなり、当該ノズルが延びる方向に形成された第１スリットが形成され、
前記流路を前記一端側で閉じるための閉鎖部材を備え、該閉鎖部材は、前記スパウト本体とは別体として構成され、
前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、
前記筒状注出部には、前記流路の内壁から中心側に向けて突出するガイドが、当該筒状注出部の先端の位置から奥側に向かって当該筒状注出部の延びる方向に一致して延び、
前記ガイドの幅は、前記第１スリットの幅に対応する寸法に形成され、
前記第１スリットの内側に前記ガイドをはめ込ませて、前記ノズルが延びる方向に前記筒状注出部を案内し、
前記筒状注出部の先端は、前記ノズルが前記筒状注出部に挿入された形態で、前記ノズルの根元部分の外周面に接触する大きさに形成されている、ことを特徴とする注出ユニットと注出用スパウトとの連結構造。
【請求項３】
前記注出ユニットには、前記ノズルの根元で、当該ノズルから径方向の外側に延びる第２スリットが形成され、
前記ノズルの前記第１スリットの内側に前記ガイドをはめ込ませて、連結された前記注出ユニットと前記注出用スパウトについて、前記第２スリットがエア抜き穴として機能する、請求項２に記載の注出ユニットと注出用スパウトとの連結構造。
【手続補正２】
【補正対象書類名】明細書
【補正対象項目名】０００９
【補正方法】変更
【補正の内容】
【０００９】
（１）上記課題を解決するための本発明に係る容器の注出用スパウトは、ノズルを有する注出ユニットを備えた包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトであって、前記流路を前記一端側で閉じるための閉鎖部材を備え、該閉鎖部材は、前記スパウト本体とは別体として構成され、前記閉鎖部材は、前記スパウト本体に紐状又は帯状の連結部材によってつながれ、前記連結部材は、前記流路にはめ込まれた形態で下側を向く面である前記閉鎖部材の下面と前記被取り付け部とを連結し、前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、前記筒状注出部には、前記流路の内壁から中心側に向けて突出するガイドが、当該筒状注出部の先端の位置から奥側に向かって当該筒状注出部の延びる方向に一致して延び、前記ガイドの幅は、前記ノズルに形成されたスリットの幅に対応する寸法に形成され、前記ガイドは、前記ノズルが延びる方向に前記筒状注出部を案内する、ことを特徴とする。
【手続補正３】
【補正対象書類名】明細書
【補正対象項目名】００１５
【補正方法】削除
【補正の内容】
【手続補正４】
【補正対象書類名】明細書
【補正対象項目名】００１７
【補正方法】変更
【補正の内容】
【００１７】
（２）上記課題を解決するための本発明に係る注出ユニットと注出用スパウトとの連結構造は、包装容器から内容物を注出するためのノズルと、該ノズルの外周を囲む周壁面とを有し、前記ノズルと前記周壁面とが前記ノズルの根元で接続された注出ユニットと、前記包装容器に補充する内容物が収容された詰め替え容器に用いられ、前記内容物を通すための流路が内側に形成された筒状注出部と、該筒状注出部が延びる方向の一端側が容器に取り付けられる被取り付け部とを有するスパウト本体を備えた注出用スパウトと、の連結構造であって、前記注出ユニットには、前記ノズルを構成する周壁の周方向の一部が欠損されてなり、当該ノズルが延びる方向に形成された第１スリットが形成され、前記流路を前記一端側で閉じるための閉鎖部材を備え、該閉鎖部材は、前記スパウト本体とは別体として構成され、前記閉鎖部材は、前記筒状注出部が延びる方向の前記一端側とは逆側の他端側から加えられる外力によって該筒状注出部の内周面から取り外される形態で該筒注出部の前記一端側の内周面に水平をなしてはめ込まれており、前記筒状注出部には、前記流路の内壁から中心側に向けて突出するガイドが、当該筒状注出部の先端の位置から奥側に向かって当該筒状注出部の延びる方向に一致して延び、前記ガイドの幅は、前記第１スリットの幅に対応する寸法に形成され、前記第１スリットの内側に前記ガイドをはめ込ませて、前記ノズルが延びる方向に前記筒状注出部を案内し、前記筒状注出部の先端は、前記ノズルが前記筒状注出部に挿入された形態で、前記ノズルの根元部分の外周面に接触する大きさに形成されている、ことを特徴とする。